(57)【要約】【課題】組み立て工程における調整作業が容易な対物レンズを提供する。【解決手段】偏心調整が行われる単一のレンズ群ＬＧ３を除く複数のレンズ群ＬＧ１、ＬＧ２を、外枠１１に螺合された押さえ環１４により固定する。そして、レンズ群ＬＧ３を支持する中枠１５を、外枠１１に設けられたねじ孔１２に対向する位置に配置する。さらに、レンズ群ＬＧ３を中枠１５に固定する。【選択図】図１
2011164546.tif 000002
【特許請求の範囲】
【請求項１】
所定の間隔で配置される複数のレンズ群を含む第１群と、
単一のレンズ群からなる第２群と、
螺合され、且つ、前記第１群を固定する、押さえ環と、
前記第１群、前記第２群、及び前記押さえ環を内部に収納する外枠と、を含み、
前記外枠は、前記第２群と対向する位置に第１の孔を有することを特徴とする対物レンズ。
【請求項２】
請求項１に記載の対物レンズにおいて、
前記押さえ環は、前記外枠に螺合されることを特徴とする対物レンズ。
【請求項３】
請求項１に記載の対物レンズにおいて、
前記外枠は、前記押さえ環と対向する位置に第２の孔を有し、
前記押さえ環及び前記外枠の各々は、前記第２の孔に挿入された固定部材に螺合されることを特徴とする対物レンズ。
【請求項４】
請求項１に記載の対物レンズにおいて、さらに、
前記第１群と前記第２群の間の間隔を調整する間隔調整部材を含むことを特徴とする対物レンズ。
【請求項５】
請求項４に記載の対物レンズにおいて、さらに、
前記第２群を支持する中枠を含み、
前記間隔調整部材は、前記押さえ環と前記中枠との間に配置されることを特徴とする対物レンズ。
【請求項６】
請求項４に記載の対物レンズにおいて、
前記外枠は、
前記第１群及び前記押さえ環を収納する第１の外枠と、
前記第１の外枠に螺合され、且つ、前記第２群を収納する第２の外枠と、を含み、
前記間隔調整部材は、前記第１の外枠と前記第２の外枠との間に配置されることを特徴とする対物レンズ。
【請求項７】
請求項１に記載の対物レンズにおいて、
前記外枠は、物体側から順に、前記第１群と、前記押さえ環と、前記第２群と、を収納することを特徴とする対物レンズ。
【請求項８】
対物レンズの組み立て方法であって、
外枠に複数のレンズ群と落とし込む第１の工程と、
押さえ環を螺合し、前記押さえ環により前記複数のレンズ群を前記外枠内に固定する第２の工程と、
偏心が調整される単一のレンズ群を前記外枠内に配置する第３の工程と、を含むことを特徴とする対物レンズの組み立て方法。
【請求項９】
請求項８に記載の対物レンズの組み立て方法であって、さらに、
前記第２の工程と前記第３の工程の間に、前記外枠に設けられた孔と対向する位置に、前記単一のレンズ群を支持する中枠を配置する工程を含むことを特徴とする対物レンズの組み立て方法。
【請求項１０】
請求項８に記載の対物レンズの組み立て方法であって、
前記第１の工程は、前記複数のレンズ群を、像側から外枠に挿入する工程を含み、
前記第２の工程は、前記押さえ環により前記複数のレンズ群を、前記像側から固定する工程を含むことを特徴とする対物レンズの組み立て方法。
【発明の詳細な説明】
【技術分野】
【０００１】
本発明は、対物レンズ、及び、その組み立て方法に関する。
【背景技術】
【０００２】
対物レンズは、通常、複数のレンズを用いて所望の性能を実現するように設計される。しかしながら、実際に、設計に従って製造された複数のレンズを組み立てると、製造工程で生じるレンズの肉厚や曲率の製造誤差などが原因で、所望の性能が実現されないことがある。
【０００３】
このため、一般に、対物レンズの組み立て工程では、製造誤差などに伴う性能の劣化を抑制するために、レンズの偏心を調整する偏心調整やレンズ間の間隔を調整する間隔調整などの各種調整が行われる。
【０００４】
例えば、特許文献１では、対物レンズの筐体（外枠）に設けられた調整孔（ねじ孔）に調整ねじを挿入することでレンズ枠（中枠）に力を加え、それによりレンズの偏心を調整する方法が開示されている。
このような偏心調整を含む各種調整を行うことで、対物レンズは、所望の性能を実現することができる。
【先行技術文献】
【特許文献】
【０００５】
【特許文献１】特開２００９−５３３３９号公報
【発明の概要】
【発明が解決しようとする課題】
【０００６】
ところで、特許文献１では、光軸に沿って筐体内にレンズと分離環（間隔環）を交互に含み、且つ、その筐体の雌ねじと押さえ環の雄ねじとが螺合することで、押さえ環がレンズ及び分離環を固定する、対物レンズの構成が開示されている。
【０００７】
特許文献１に開示される対物レンズでは、押さえ環から受ける狭持力により、レンズや分離環は互いに光軸方向に力を及ぼしあっていて、それにより、筐体内の所定位置に固定されている。つまり、各レンズは筐体内で個別に固定されているわけではなく、すべてのレンズが一体として狭持され、筐体内に固定されている。
【０００８】
この構成では、偏心調整のために特定のレンズに対して力を加えると、周囲のレンズにもその影響が及んでしまう。このため、周囲のレンズに影響を与えることなく特定のレンズの偏心のみを調整することができない。このことは、対物レンズの調整作業を困難にする一要因となっている。
以上のような実情を踏まえ、本発明では、組み立て工程における調整作業が容易な対物レンズを提供することを課題とする。
【課題を解決するための手段】
【０００９】
本発明の第１の態様は、所定の間隔で配置される複数のレンズ群を含む第１群と、単一のレンズ群からなる第２群と、螺合され、且つ、第１群を固定する、押さえ環と、第１群、第２群、及び押さえ環を内部に収納する外枠と、を含み、外枠は、第２群と対向する位置に第１の孔を有する対物レンズを提供する。
本発明の第２の態様は、第１の態様に記載の対物レンズにおいて、押さえ環は、外枠に螺合される対物レンズを提供する。
【００１０】
本発明の第３の態様は、第１の態様に記載の対物レンズにおいて、外枠は、押さえ環と対向する位置に第２の孔を有し、押さえ環及び外枠の各々は、第２の孔に挿入された固定部材に螺合される対物レンズを提供する。
本発明の第４の態様は、第１の態様に記載の対物レンズにおいて、さらに、第１群と第２群の間の間隔を調整する間隔調整部材を含む対物レンズを提供する。
【００１１】
本発明の第５の態様は、第４の態様に記載の対物レンズにおいて、さらに、第２群を支持する中枠を含み、間隔調整部材は、押さえ環と中枠との間に配置される対物レンズを提供する。
【００１２】
本発明の第６の態様は、第４の態様に記載の対物レンズにおいて、外枠は、第１群及び押さえ環を収納する第１の外枠と、第１の外枠に螺合され、且つ、第２群を収納する第２の外枠と、を含み、間隔調整部材は、第１の外枠と第２の外枠との間に配置される対物レンズを提供する。
【００１３】
本発明の第７の態様は、第１の態様に記載の対物レンズにおいて、外枠は、物体側から順に、第１群と、押さえ環と、第２レンズ群と、を収納する対物レンズを提供する。
【００１４】
本発明の第８の態様は、対物レンズの組み立て方法であって、外枠に複数のレンズ群と落とし込む第１の工程と、押さえ環を螺合し、押さえ環により複数のレンズ群を外枠内に固定する第２の工程と、偏心が調整される単一のレンズ群を外枠内に配置する第３の工程と、を含む対物レンズの組み立て方法を提供する。
【００１５】
本発明の第９の態様は、第８の態様に記載の対物レンズの組み立て方法であって、さらに、第２の工程と第３の工程の間に、外枠に設けられた孔と対向する位置に、単一のレンズ群を支持する中枠を配置する工程を含む対物レンズの組み立て方法を提供する。
【００１６】
本発明の第１０の態様は、第８の態様に記載の対物レンズの組み立て方法であって、第１の工程は、複数のレンズ群を、像側から外枠に挿入する工程を含み、第２の工程は、押さえ環により複数のレンズ群を、像側から固定する工程を含む対物レンズの組み立て方法を提供する。
【発明の効果】
【００１７】
本発明によれば、組み立て工程における調整作業が容易な対物レンズを提供することができる。
【図面の簡単な説明】
【００１８】
【図１】実施例１に係る対物レンズの構成を例示する断面図である。
【図２】実施例１に係る対物レンズの組み立て方法を例示するフローチャートである。
【図３】実施例２に係る対物レンズの構成を例示する断面図である。
【図４】実施例３に係る対物レンズの構成を例示する断面図である。
【図５】実施例４に係る対物レンズの構成を例示する断面図である。
【発明を実施するための形態】
【００１９】
以下、図面を参照しながら、各実施例について説明する。
【実施例１】
【００２０】
図１は、本実施例に係る対物レンズの構成を例示する断面図である。なお、対物レンズは光軸１を中心として対称な構造を有しているため、図１では、対物レンズの断面のうち、光軸１を中心とした片側のみが示されている。
まず、本実施例に係る対物レンズ１０の構成について説明する。
【００２１】
図１に例示される対物レンズ１０は、略円筒形状を呈し、且つ、ねじ孔１２を有する外枠１１と、その外枠１１内に収納される、複数のレンズ群（光軸１に沿って、物体側から順に、レンズ群ＬＧ１、レンズ群ＬＧ２、レンズ群ＬＧ３）、間隔環１３、押さえ環１４、中枠１５、押さえ環１６、及び、間隔調整部材１７と、を含んでいる。なお、間隔調整部材１７は、必要に応じて用いられればよく、不要であれば省略してもよい。
【００２２】
本明細書では、“レンズ群”という用語は、単レンズ、接合レンズを問わず、一塊のレンズを意味するものとする。従って、対物レンズ１０では、レンズ群ＬＧ１及びレンズ群ＬＧ２は、それぞれ単レンズとして構成されているが、接合レンズとして構成されてもよい。同様に、レンズ群ＬＧ３は、接合レンズとして構成されているが、単レンズとして構成されてもよい。
【００２３】
また、本明細書では、対物レンズに含まれる複数のレンズ群のうち、偏心調整が行われない複数のレンズ群を第１群Ｇ１と記し、偏心調整が行われる単一のレンズ群を第２群Ｇ２と記す。対物レンズ１０では、組み立て工程において、最も像側のレンズ群ＬＧ３に対して偏心調整が行われる。このため、対物レンズ１０の第１群Ｇ１は、レンズ群ＬＧ１及びレンズ群ＬＧ２を含み、対物レンズ１０の第２群Ｇ２は、レンズ群ＬＧ３からなる。なお、第１群Ｇ１に３つ以上のレンズ群が含まれてもよい。
【００２４】
第１群Ｇ１は、所定の間隔で配置される複数のレンズ群を含み、押さえ環１４により固定されている。より詳細には、レンズ群ＬＧ１とレンズ群ＬＧ２の間には、レンズ群間に所定の間隔を設けるための間隔環１３が配置されていて、レンズ群ＬＧ１、間隔環１３、及び、レンズ群ＬＧ２は、外枠１１の突起部１１ａと押さえ環１４とにより狭持されている。押さえ環１４は、外枠１１の螺合部１８に装着されている。すなわち、押さえ環１４は、その外周面上に雄ねじを有していて、雌ねじを有する外枠１１に螺合（いわゆる、ねじ込み固定）されることで、光軸１方向に所定の狭持力を生じさせ、それによって、第１群を固定することができる。
【００２５】
一方、第２群Ｇ２は、偏心が調整される単一のレンズ群ＬＧ３からなり、レンズ群ＬＧ３（第２群Ｇ２）は、レンズ群ＬＧ３を支持する中枠１５に固定されている。押さえ環１６は、外枠１１の螺合部１９に装着されている。レンズ群ＬＧ３（第２群Ｇ２）を支持する中枠１５は、押さえ環１４と押さえ環１６とに狭持されることで固定されている。
【００２６】
対物レンズ１０では、接着剤を用いてレンズ群ＬＧ３を中枠１５へ固定する例が示されているが、レンズ群ＬＧ３の固定方法は特にこれに限定されない。例えば、レンズ群ＬＧ３を中枠１５と押さえ環１６で狭持してもよい。また、その際、押さえ環１６は、螺合部１９を有さず、螺合されない押さえ環として構成されてもよい。さらに、螺合部１９を有する新たな押さえ環を設けて、レンズ群ＬＧ３及び押さえ環１６を、中枠１５と新たな押さえ環で狭持してもよい。
【００２７】
押さえ環１４と中枠１５の間には、レンズ群ＬＧ２とレンズ群ＬＧ３の間隔を調整するための間隔調整部材１７が配置されている。間隔調整部材１７は、必要な間隔に応じて、複数配置されてもよく、また、厚さの異なる複数の間隔調整部材１７が選択的に用いられても良い。間隔調整部材１７としては、例えば、箔（foil）、ワッシャー（washer）、シム（shim）、などが用いられる。
【００２８】
ねじ孔１２（第１の孔）は、第２群Ｇ２（レンズ群ＬＧ３）を支持する中枠１５に対向する位置、すなわち、第２群Ｇ２（レンズ群ＬＧ３）と対向する位置に設けられる。ねじ孔１２は、光軸１に対して略直交する方向に形成されていて、レンズ群ＬＧ３の偏心調整に用いられる調整孔（第１の孔）として機能する。
【００２９】
なお、図１では、調整孔としてのねじ孔１２を含む構成を例示したが、特にこれに限られない。ねじ孔１２の代わりに、中枠１５をつつくためのつつき棒が入る貫通穴を調整孔として含んでもよい。
【００３０】
図２は、本実施例に係る対物レンズ１０の組み立て方法を例示したフローチャートである。図２を参照しながら、対物レンズ１０の組み立て方法について説明する。
【００３１】
まず、ステップＳ１では、外枠１１を突起部１１ａが底に向いた状態にして、その後、レンズ群ＬＧ１、間隔環１３、レンズ群ＬＧ２を順に、外枠１１内に像側から落とし込む。なお、この際、接着剤等を用いた接着は行われず、レンズ群ＬＧ１、間隔環１３、及び、レンズ群ＬＧ２は、突起部１１ａ上で、単に積層される。
【００３２】
次に、ステップＳ２では、押さえ環１４を、外枠１１内に像側から挿入し、外枠１１に螺合する。螺合部１８に装着された押さえ環１４により、レンズ群ＬＧ１、間隔環１３、及び、レンズ群ＬＧ２は、外枠１１内に固定される。
【００３３】
ステップＳ３では、間隔調整部材１７、中枠１５、及び、レンズ群ＬＧ３を、外枠１１内に像側から挿入して、押さえ環１４上に積層する。この際、中枠１５を、ねじ孔１２と対向する位置に配置する。なお、レンズ群ＬＧ３は、外枠１１内に挿入される前に、接着剤等を用いて中枠１５に接着され、中枠１５に固定されるが、特にこれに限られない。中枠１５のみを外枠１１内に配置した後に、レンズ群ＬＧ３を外枠１１に挿入し、中枠１５に固定しても良い。
【００３４】
ステップＳ４では、押さえ環１６を、外枠１１内に像側から挿入し、外枠１１に螺合する。これにより、中枠１５は、螺合部１８に装着された押さえ環１４と螺合部１９に装着された押さえ環１６とで狭持され、中枠１５に固定されたレンズ群ＬＧ３は、外枠１１内で固定される。
【００３５】
その後、ステップＳ５では、組み立てられた対物レンズ１０が所望の性能を実現しているか否かの確認を行い、性能の劣化が認められる場合には、各種調整を行う。
対物レンズ１０の組み立て工程における、偏心調整の方法について説明する。
【００３６】
対物レンズ１０では、偏心調整は、レンズ群ＬＧ３（第２群Ｇ２）に対して行われる。レンズ群ＬＧ３の偏心調整は、レンズ群ＬＧ３（及び中枠１５）に対向する位置に設けられたねじ孔１２に（不図示の）ねじを挿入することにより行われる。挿入されたねじは、その回転量に応じて、中枠１５に対して光軸１と略直交する方向に力を加えることができる。これにより、中枠１５に固定されたレンズ群ＬＧ３の偏心が調整される。より具体的には、例えば、他のレンズ群の光軸に対するレンズ群ＬＧ３の光軸のズレや傾きが修正される。
【００３７】
対物レンズ１０では、中枠１５は、間隔調整部材１７を介して、または、間隔調整部材１７がない場合には直接に、第１群Ｇ１を固定する押さえ環１４に接している。このため、偏心調整のために加えられた力により中枠１５が外枠１１内で移動すると、押さえ環１４にも力が加わることになる。しかしながら、偏心調整が行われるときには、押さえ環１４は、外枠１１に螺合され、外枠１１に固定された状態にある。このため、押さえ環１４に加わった力が第１群Ｇ１にまで及ぶことはない。
【００３８】
従って、本実施例に係る対物レンズ１０では、レンズ群ＬＧ３に対して偏心調整を行っても、他のレンズ群に影響を及ぼすことないため、組み立て工程における対物レンズの偏心調整作業を比較的容易に行うことが可能である。
【００３９】
なお、間隔調整部材１７の表面は、通常、研磨等により高い平坦性が実現されている。このため、間隔調整部材１７が配置された状態では、間隔調整部材１７が配置されていない状態に比べて、中枠１５の移動がスムーズになり、中枠１５に加えられる力と中枠１５の移動量の関係を把握しやすい。従って、対物レンズ１０では、間隔調整部材１７が押さえ環１４と中枠１５の間に配置されている場合には、さらに偏心調整作業を容易に行うことができる。
対物レンズ１０の組み立て工程における、間隔調整の方法について説明する。
【００４０】
対物レンズ１０では、間隔調整は、レンズ群ＬＧ２とレンズ群ＬＧ３の間隔、すなわち、第１群Ｇ１と第２群Ｇ２の間隔に対して行われる。間隔調整は、所望の間隔に応じて、押さえ環１４と中枠１５の間に配置される間隔調整部材１７の個数を変更することにより行われても良く、また、厚さの異なる間隔調整部材１７と交換することにより行われても良い。これにより、レンズ群ＬＧ２とレンズ群ＬＧ３の間隔を所望の間隔に調整することができる。
【００４１】
間隔調整を行うために、組み立てられた対物レンズを分解する場合、対物レンズ１０では、間隔調整部材１７を配置するために取り外しが必要な部材（中枠１５、押さえ環１６、レンズ群ＬＧ３）のみを取り外すことができる。これは、取り外しが不要なレンズ群ＬＧ１、レンズ群ＬＧ２、及び、間隔環１３が、押さえ環１４により固定されていることによって、可能となっている。
【００４２】
従って、本実施例に係る対物レンズ１０では、必要最小限の作業、すなわち、必要最小限の範囲での対物レンズの分解と再組み立てにより、間隔調整が可能である。このため、組み立て工程における、対物レンズの間隔調整に要する作業の負担を軽減することができる。
【００４３】
なお、すべてのレンズ群が一体として固定されている対物レンズの場合には、あるレンズ群を外枠から取り外すと、他のレンズ群の外枠に対する固定を維持することができない。このため、所望のレンズ群のみを取り外して間隔調整を行うことは容易ではなく、間隔調整を行う場合には、基本的に全てのレンズ群を取り外して、再度はじめから組み立て直すことになる。従って、対物レンズの間隔調整に要する負担は、本実施例に係る対物レンズ１０と比べて、大きくなる。
【００４４】
また、各レンズ群が個別に固定されている対物レンズであれば、本実施例に係る対物レンズ１０と同様に、所望のレンズ群のみを取り外して間隔調整を行うことができる。しかしながら、通常、対物レンズには多数のレンズ群が含まれることを考慮すると、組み立てに要する工数が著しく増加することは明らかである。また、分解に要する工数も同様に増加する。従って、そのような構成の対物レンズでは、間隔調整を含む対物レンズの組み立て作業に要する負担は、本実施例に係る対物レンズ１０と比べて、非常に大きくなる。
【００４５】
以上、本実施例に係る対物レンズ１０によれば、偏心調整が行われる単一のレンズ群を除く複数のレンズ群を、外枠に螺合された押さえ環により固定することで、組み立て工程における調整作業を容易にすることができる。また、偏心調整が行われる単一のレンズ群と偏心調整が行われない複数のレンズ群との間で間隔調整を行うことで、組み立て工程における調整作業の負担も軽減することができる。
【００４６】
なお、本実施例に係る対物レンズ１０の構成は、偏心調整及び間隔調整の箇所がそれぞれ１箇所で十分に所望の性能を実現できる低倍率の対物レンズに対して、特に好適であるが、特にこれに限定されない。
【００４７】
また、本実施例では、外枠１１は物体側に突起部１１ａを有し、且つ、像側から外枠１１に各レンズ群が挿入される、対物レンズ１０の構成を例示したが、特にこれに限られない。外枠は像側に突起部を有してもよい。ただし、突起部を像側に有する構成では、像側の端部が細い対物レンズ（外枠）を設計し易い。像側の端部が細いと、対物レンズが顕微鏡に配置された状態において、標本を目視で確認し易いため、標本の視認性を十分に確保することができる。
また、本実施例では、偏心調整を行うレンズ群が最も像側に配置される例を示したが、特にこれに限定されない。
【実施例２】
【００４８】
図３は、本実施例に係る対物レンズの構成を例示する断面図である。図３では、図１と同様に、対物レンズの断面のうち、光軸１を中心とした片側のみが示されている。また、図３では、図１に例示される対物レンズ１０と同様の構成要素には同一符号が付されている。
【００４９】
図３に例示される対物レンズ２０は、略円筒形状を呈し、且つ、ねじ孔２２を有する外枠２１（第１の外枠２１ａ、第２の外枠２１ｂ）と、その外枠２１内に収納される、複数のレンズ群（光軸１に沿って、物体側から順に、レンズ群ＬＧ１、レンズ群ＬＧ２、レンズ群ＬＧ３）、間隔環１３、押さえ環１４、中枠２５、押さえ環２６、及び、間隔調整部材２７と、を含んでいる。間隔調整部材２７は、必要に応じて用いられればよく、不要であれば省略してもよい。
【００５０】
対物レンズ２０では、組み立て工程において、最も像側のレンズ群ＬＧ３に対して偏心調整が行われる。このため、対物レンズ２０の第１群Ｇ１は、レンズ群ＬＧ１及びレンズ群ＬＧ２を含み、対物レンズ２０の第２群Ｇ２は、レンズ群ＬＧ３からなる。
以降では、本実施例に係る対物レンズ２０の、実施例１に係る対物レンズ１０との相違点について説明する。
【００５１】
対物レンズ２０は、外枠２１が第１群Ｇ１を収納する第１の外枠２１ａと、第２群Ｇ２を収納する第２の外枠２１ｂとを含み、第２の外枠２１ｂが第１の外枠２１ａに螺合されている点が、対物レンズ１０と異なっている。
【００５２】
また、対物レンズ２０は、レンズ群ＬＧ１とレンズ群ＬＧ２の間の間隔を調整するための間隔調整部材２７は、第１の外枠２１ａと第２の外枠２１ｂの間に配置されている点も、対物レンズ１０と異なっている。
【００５３】
さらに、対物レンズ２０は、第１群Ｇ１を固定する押さえ環１４とレンズ群ＬＧ３（第２群Ｇ２）を支持する中枠２５との間に空間があり、押さえ環１４と中枠２５とが接触していない点も、対物レンズ１０と異なっている。なお、中枠２５は、第２の外枠２１ｂの突起部２４と押さえ環２６とに狭持されることにより、第２の外枠２１ｂ内に固定されている。
【００５４】
対物レンズ２０の偏心調整は、対物レンズ１０と同様の方法で、レンズ群ＬＧ３（第２群Ｇ２）に対して行われる。つまり、ねじ孔２２に（不図示の）ねじを挿入して、中枠２５を移動させることにより行われる。対物レンズ２０では、押さえ環１４と中枠２５が接触していないため、中枠２５が外枠２１（第２の外枠２１ｂ）内で移動しても、押さえ環１４に力が加わることはない。
【００５５】
従って、本実施例に係る対物レンズ２０では、レンズ群ＬＧ３に対して偏心調整を行っても、他のレンズ群に影響を及ぼすことないため、実施例１に係る対物レンズ１０と同様に、組み立て工程における対物レンズの偏心調整作業を比較的容易に行うことが可能である。
【００５６】
また、対物レンズ２０の間隔調整は、対物レンズ１０と同様の方法で、つまり、間隔調整部材を使用して、第１群Ｇ１と第２群Ｇ２の間隔に対して行われる。ただし、対物レンズ２０では、間隔調整部材２７は、上述したように、第１の外枠２１ａと第２の外枠２１ｂの間に配置される。このため、間隔調整のために対物レンズ２０を分解する場合には、中枠２５、レンズ群ＬＧ３、及び、押さえ環２６が固定された第２の外枠２１ｂを、第１の外枠２１ａから取り外すだけで良い。
従って、本実施例に係る対物レンズ２０では、組み立て工程における、対物レンズの間隔調整に要する作業の負担を、さらに軽減することができる。
【実施例３】
【００５７】
図４は、本実施例に係る対物レンズの構成を例示する断面図である。図４では、図１と同様に、対物レンズの断面のうち、光軸１を中心とした片側のみが示されている。また、図４では、図１に例示される対物レンズ１０と同様の構成要素には同一符号が付されている。
【００５８】
図４に例示される対物レンズ３０は、略円筒形状を呈し、且つ、ねじ孔３２及びねじ孔３３を有する外枠３１と、その外枠３１内に収納される、複数のレンズ群（光軸１に沿って、物体側から順に、レンズ群ＬＧ１、レンズ群ＬＧ２、レンズ群ＬＧ３）、間隔環１３、押さえ環３４、中枠３５、押さえ環３６、間隔調整部材３７、及び、ねじ部材３８と、を含んでいる。間隔調整部材３７は、必要に応じて用いられればよく、不要であれば省略してもよい。
【００５９】
対物レンズ３０では、組み立て工程において、最も像側のレンズ群ＬＧ３に対して偏心調整が行われる。このため、対物レンズ３０の第１群Ｇ１は、レンズ群ＬＧ１及びレンズ群ＬＧ２を含み、対物レンズ３０の第２群Ｇ２は、レンズ群ＬＧ３からなる。
以降では、本実施例に係る対物レンズ３０の、実施例１に係る対物レンズ１０との相違点について説明する。
【００６０】
対物レンズ３０は、外枠３１が、第２群Ｇ２（及び中枠３５）と対向する位置に設けられたねじ孔３２に加えて、第１群Ｇ１を固定する押さえ環３４と対向する位置に設けられたねじ孔３３を含む点が、対物レンズ１０と異なっている。なお、ねじ孔３２（第１の孔）は、レンズ群ＬＧ３の偏心調整に用いられる調整孔として機能するのに対して、ねじ孔３３（第２の孔）は、押さえ環３４を外枠３１に固定するためのねじ部材３８を挿入するために用いられる。
【００６１】
また、対物レンズ３０は、押さえ環３４及び外枠３１の各々がねじ孔３３に挿入されたねじ部材３８に螺合されている点が、対物レンズ１０と異なっている。つまり、押さえ環３４は、外枠３１ではなくねじ部材３８に螺合されることで外枠３１に固定され、それによって、第１群Ｇ１及び間隔環１３を固定している。なお、外枠３１は、押さえ環３４と直接的に螺合されないため、外枠３１の内周面上に雌ねじを形成する必要がない。このため、対物レンズ３０では、外枠３１の内周面の構造を簡素化することができる。
【００６２】
対物レンズ３０の偏心調整は、対物レンズ１０と同様の方法で、レンズ群ＬＧ３（第２群Ｇ２）に対して行われる。つまり、ねじ孔３２に（不図示の）ねじを挿入して、中枠３５を移動させることにより行われる。対物レンズ３０では、中枠３５は、直接にまたは間隔調整部材３７を介して、押さえ環３４に接しているため、中枠３５が移動すると、押さえ環３４にも力が加わることになる。しかしながら、押さえ環３４は、上述したように外枠３１に固定されているため、押さえ環３４に加わった力が第１群Ｇ１にまで及ぶことはない。
【００６３】
従って、本実施例に係る対物レンズ３０では、レンズ群ＬＧ３に対して偏心調整を行っても、他のレンズ群に影響を及ぼすことないため、実施例１に係る対物レンズ１０と同様に、組み立て工程における対物レンズの偏心調整作業を比較的容易に行うことが可能である。
また、対物レンズ３０の間隔調整は、対物レンズ１０と同様の方法で、第１群Ｇ１と第２群Ｇ２の間隔に対して行われる。
【００６４】
従って、本実施例に係る対物レンズ３０では、実施例１に係る対物レンズ１０と同様に、必要最小限の範囲での対物レンズの分解と再組み立てにより、間隔調整が可能である。このため、組み立て工程における、対物レンズの間隔調整に要する作業の負担を軽減することができる。
【実施例４】
【００６５】
図５は、本実施例に係る対物レンズの構成を例示する断面図である。図５では、図１と同様に、対物レンズの断面のうち、光軸１を中心とした片側のみが示されている。
【００６６】
図５に例示される対物レンズ４０は、略円筒形状を呈し、且つ、ねじ孔４２を有する外枠４１と、その外枠４１内に収納される、複数のレンズ群（光軸１に沿って、像側から順に、レンズ群ＬＧ１、レンズ群ＬＧ２、レンズ群ＬＧ３）、間隔環４３、押さえ環４４、中枠４５、押さえ環４６、及び、間隔調整部材４７と、を含んでいる。なお、間隔調整部材４７は、必要に応じて用いられればよく、不要であれば省略してもよい。
【００６７】
対物レンズ４０では、組み立て工程において、最も物体側のレンズ群ＬＧ３に対して偏心調整が行われる。このため、対物レンズ４０の第１群Ｇ１は、レンズ群ＬＧ１及びレンズ群ＬＧ２を含み、対物レンズ４０の第２群Ｇ２は、レンズ群ＬＧ３からなる。
以降では、本実施例に係る対物レンズ４０の、実施例１に係る対物レンズ１０との相違点について説明する。
【００６８】
対物レンズ４０は、外枠４１が像側に突起部４１ａを有する点が、対物レンズ１０と異なっている。このため、対物レンズ４０は、以下のような手順で組み立てられる。
【００６９】
まず、外枠４１を突起部４１ａが底に向いた状態にして、その後、レンズ群ＬＧ１、間隔環４３、レンズ群ＬＧ２を順に、外枠４１内に物体側から落とし込む。なお、この際、接着剤等を用いた接着は行われず、レンズ群ＬＧ１、間隔環４３、及び、レンズ群ＬＧ２は、突起部４１ａ上で、単に積層される。
【００７０】
次に、押さえ環４４を、外枠４１内に物体側から挿入し、外枠４１に螺合する。螺合部４８に装着された押さえ環４４により、レンズ群ＬＧ１、間隔環４３、及び、レンズ群ＬＧ２は、外枠４１内に固定される。
【００７１】
そして、間隔調整部材４７、中枠４５、レンズ群ＬＧ３を、外枠４１内に物体側から挿入して、押さえ環４４上に積層する。この際、中枠４５を、ねじ孔４２と対向する位置に配置する。なお、レンズ群Ｌ３は、外枠４１内に挿入される前に、接着剤等を用いて中枠４５に接着され、中枠４５に固定されるが、特にこれに限られない。中枠４５のみを外枠４１内に配置した後に、レンズ群ＬＧ３を外枠４１に挿入し、中枠４５に固定しても良い。
【００７２】
最後に、押さえ環４６を、外枠４１内に物体側から挿入し、外枠４１に螺合する。これにより、中枠４５は、螺合部４８に装着された押さえ環４４と螺合部４９に装着された押さえ環４６とで狭持され、中枠４５に固定されたレンズ群ＬＧ３は、外枠４１内で固定される。
対物レンズ３４の偏心調整は、対物レンズ１０と同様の方法で、レンズ群ＬＧ３（第２群Ｇ２）に対して行われる。
【００７３】
従って、本実施例に係る対物レンズ４０では、レンズ群ＬＧ３に対して偏心調整を行っても、他のレンズ群に影響を及ぼすことないため、実施例１に係る対物レンズ１０と同様に、組み立て工程における対物レンズの偏心調整作業を比較的容易に行うことが可能である。
また、対物レンズ４０の間隔調整は、対物レンズ１０と同様の方法で、第１群Ｇ１と第２群Ｇ２の間隔に対して行われる。
【００７４】
従って、本実施例に係る対物レンズ４０では、実施例１に係る対物レンズ１０と同様に、必要最小限の範囲での対物レンズの分解と再組み立てにより、間隔調整が可能である。このため、組み立て工程における、対物レンズの間隔調整に要する作業の負担を軽減することができる。
【符号の説明】
【００７５】
１・・・光軸
１０、２０、３０、４０・・・対物レンズ
１１、２１、３１、４１・・・外枠
２１ａ・・・第１の外枠
２１ｂ・・・第２の外枠
１１ａ、２４、４１ａ・・・突起部
１２、２２、３２、３３、４２・・・ねじ孔
１３、４３・・・間隔環
１４、１６、２６、３４、３６、４４、４６・・・押さえ環
１５、２５、３５、４５・・・中枠
１７、２７、３７、４７・・・間隔調整部材
１８、１９、２３、４８、４９・・・螺合部
３８・・・ねじ部材
ＬＧ１、ＬＧ２、ＬＧ３・・・レンズ群
Ｇ１・・・第１群
Ｇ２・・・第２群
【図２】
2011164546.tif 000003
【図１】
2011164546.tif 000004
【図３】
2011164546.tif 000005
【図４】
2011164546.tif 000006
【図５】
2011164546.tif 000007